【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
液晶材料と泳動粒子とを有する液晶セルを含む泳動セルであって、
前記泳動粒子は、場の印加時に前記液晶セルの第１の側面の第１の好ましい位置から該液晶セルの第２の側面に移動可能であり、
前記液晶セルは、前記泳動粒子が前記第１の好ましい位置に位置しない時に該第１の好ましい位置に関連する欠陥が存在し、該泳動粒子が実質的に該液晶セル内の該第１の好ましい位置に位置している場合の方が該泳動粒子がそのように位置しない場合よりも該欠陥の液晶欠陥エネルギが低いようになっている、
ことを特徴とする泳動セル。
【請求項２】
前記印加された場は、前記泳動粒子を前記液晶セルの前記第１の好ましい位置から前記第２の側面に移動させるために閾値レベルを超えなければならないことを特徴とする請求項１に記載の泳動セル。
【請求項３】
前記泳動粒子は、場の印加時に前記液晶セルの前記第２の側面の第２の好ましい位置から該液晶セルの前記第１の側面の前記第１の好ましい位置に可逆的に移動可能であり、
前記液晶セルは、前記泳動粒子が前記第２の好ましい位置に位置しない時に該第２の好ましい位置に関連する欠陥が存在し、該泳動粒子が実質的に該液晶セル内の該第２の好ましい位置に位置している場合の方が該泳動粒子がそのように位置しない場合よりも該欠陥の液晶欠陥エネルギが低いようになっている、
ことを特徴とする請求項１又は請求項２に記載の泳動セル。
【請求項４】
前記印加された場は、前記泳動粒子を前記液晶セル内の前記第２の好ましい位置から前記第１の好ましい位置に移動させるために閾値レベルを超えなければならないことを特徴とする請求項３に記載の泳動セル。
【請求項５】
前記泳動粒子を前記液晶セル内の前記第１の好ましい位置から前記第２の好ましい位置に移動させることに関連する前記閾値レベルのマグニチュードは、該泳動粒子を該液晶セル内の該第２の好ましい位置から該第１の好ましい位置に移動させるためのものと異なることを特徴とする請求項４に記載の泳動セル。
【請求項６】
前記液晶セルの前記第１の側面に各々が関連する欠陥を有する複数の第１の好ましい位置を有し、
複数の泳動粒子が、前記液晶材料内に分散された、
ことを特徴とする請求項１から請求項５のいずれか１項に記載の泳動セル。
【請求項７】
前記液晶セルの前記第２の側面に各々が関連する欠陥を有する複数の第２の好ましい位置を有することを特徴とする、請求項３に従属する時の請求項６に記載の泳動セル。
【請求項８】
前記液晶セルの少なくとも１つの内面は、前記欠陥を誘発するようなプロフィールを有することを特徴とする請求項６又は請求項７に記載の泳動セル。
【請求項９】
前記プロフィールは、アレイに配置された複数の凹部を含むことを特徴とする請求項８に記載の泳動セル。
【請求項１０】
前記凹部は、実質的に半楕円体の凹部を含むことを特徴とする請求項９に記載の泳動セル。
【請求項１１】
前記液晶セルは、液晶液滴を含むことを特徴とする請求項３から請求項５のいずれか１項に記載の泳動セル。
【請求項１２】
前記泳動セルは、複数の液晶セルを含むことを特徴とする請求項１１に記載の泳動セル。
【請求項１３】
前記液晶液滴は実質的に球形であって、各液滴が液滴直径Ｄに等しい長さＬを有することを特徴とする請求項１２に記載の泳動セル。
【請求項１４】
前記液晶液滴は、実質的に幅広の回転楕円体であって、各液滴が液晶液滴の長軸に沿って測定された長さＬと短軸に沿って測定された直径Ｄとを有し、前記第１及び第２の好ましい位置は、各液晶液滴の長軸に沿って実質的に対向して配置されることを特徴とする請求項１２に記載の泳動セル。
【請求項１５】
前記液晶セル又は各液晶セルは、染料を含むことを特徴とする請求項１から請求項１４のいずれか１項に記載の泳動セル。
【請求項１６】
前記泳動粒子又はその各々は、それに入射する電磁放射線を反射するようになっていることを特徴とする請求項１から請求項１５のいずれか１項に記載の泳動セル。
【請求項１７】
前記液晶材料は、ネマチック液晶材料であることを特徴とする請求項１から請求項１６のいずれか１項に記載の泳動セル。
【請求項１８】
前記印加される場は、電界及び磁界のうちの少なくとも一方であることを特徴とする請求項１から請求項１７のいずれか１項に記載の泳動セル。
【請求項１９】
液晶懸濁媒質内に懸濁した複数の泳動粒子を有し、請求項６から請求項１０のいずれか１項、又は請求項６から請求項１０のいずれか１項に従属する時の請求項１５から請求項１８のいずれか１項に記載の泳動セルの製造方法であって、
（ｉ）泳動セル内で液晶ダイレクタの好ましいアラインメントを形成するために液晶懸濁媒質と相互作用するようになった第１のレリーフ構造アラインメント層を有する第１の基板を準備する段階と、
（ｉｉ）各々が前記レリーフ構造アラインメント層のレリーフ構造表面から延びる内面を有する複数の凹部を、該レリーフ構造アラインメント層内に形成する段階と、
（ｉｉｉ）泳動粒子を前記第１のレリーフ構造表面上に配置する段階と、
（ｉｖ）前記液晶懸濁媒質を前記セル内に組み込む段階と、
を含むことを特徴とする方法。
【請求項２０】
（ｖ）前記泳動セル内で前記液晶ダイレクタの好ましいアラインメントを形成するために前記液晶懸濁媒質と相互作用するようになった第２のレリーフ構造アラインメント層を有する第２の基板を準備する段階と、
（ｖｉ）各々が前記第２のレリーフ構造アラインメント層のレリーフ構造表面から延びる内面を有する複数の凹部を、該第２のレリーフ構造アラインメント層内に形成する段階と、
（ｖｉｉ）前記第１の基板の前記レリーフ構造アラインメント層が前記液晶懸濁媒質と相互作用して泳動ディスプレイ内の前記液晶ダイレクタの好ましいアラインメントを形成するように、前記第２の基板を該第１の基板に対して遠隔に配置する段階と、
を含むことを特徴とする請求項１９に記載の泳動セルを作製する方法。
【請求項２１】
前記第１のレリーフ構造アラインメント層の前記レリーフ構造表面における各凹部を、前記第２のレリーフ構造アラインメント層の該レリーフ構造表面における対応する凹部と実質的に反対側に配置する段階を含み、前記凹部は、対向する凹部の対を形成することを特徴とする請求項２０に記載の方法。
【請求項２２】
泳動粒子を各対向する凹部の対内に配置する段階を含むことを特徴とする請求項２１に記載の方法。
【請求項２３】
前記第１及び第２の基板の少なくとも一方は、ポリマー及びプレポリマーの少なくとも一方を含み、前記レリーフ構造表面内に複数の凹部を形成する段階は、エンボス加工処理を含むことを特徴とする請求項１９から請求項２２のいずれか１項に記載の方法。
【請求項２４】
前記第１及び第２の基板の少なくとも一方は、フォトポリマーを含み、前記レリーフ構造表面内に複数の凹部を形成する段階は、フォトリソグラフィ処理を含むことを特徴とする請求項１９から請求項２２のいずれか１項に記載の方法。
【請求項２５】
画像を表示するための第１の表示面を有するディスプレイであって、液晶セル内の前記第１の好ましい位置又はその各々が実質的に第１の表示面に位置するようにディスプレイ内に配置された、請求項１から請求項１８のいずれか１項に記載の泳動セルを含み、
ディスプレイに亘る場の印加によって作動可能であることを特徴とするディスプレイ。
【請求項２６】
請求項２又は請求項２に従属する時の請求項３から請求項１８のいずれか１項に記載の泳動セルを含む、前記第１の表示面に対して遠隔に配置された第２の表示面を有し、
前記泳動セルは、前記液晶セル内の前記第２の好ましい位置又は各第２の好ましい位置が実質的に前記第２の表示面に位置するようにディスプレイ内に配置され、
前記第１及び第２の好ましい位置は、前記泳動粒子又はその各々が一方の好ましい位置に位置する時に表示面で可視であり、他方の好ましい位置に位置する時は該表示面で不可視であるようなものである、
ことを特徴とする請求項２５に記載のディスプレイ。
【請求項２７】
請求項１２又は請求項１２に従属する時の請求項１３から請求項１８のいずれか１項に記載の泳動セルを含み、
前記液晶液滴が、カプセル材内に配置される、
ことを特徴とする請求項２６に記載のディスプレイ。
【請求項２８】
前記カプセル材は、熱硬化性ポリマー、電磁放射線によって硬化可能なポリマー、及びシリコーンエラストマーのうちの少なくとも１つを含むことを特徴とする請求項２７に記載のディスプレイ。
【請求項２９】
請求項１４又は請求項１４に従属する時の請求項１５から請求項１８のいずれか１項に記載の泳動セルを含み、
前記液晶液滴は、該液滴の長軸が前記第１の表示面に平行な平面と実質的に直交するように配置される、
ことを特徴とする請求項２７又は請求項２８に記載のディスプレイ。
【請求項３０】
ディスプレイに亘って電界及び磁界の少なくとも一方を印加するための手段を更に含むことを特徴とする請求項２５から請求項２９のいずれか１項に記載のディスプレイ。
【請求項３１】
前記場を印加するための手段は、電極を含むことを特徴とする請求項３０に記載のディスプレイ。
【請求項３２】
前記第１の表示面近くの行、及び前記第２の表示面近くの列に配置された複数の電極を含み、各行及び列電極の交差部は、ディスプレイ内のピクセルを形成し、それによってディスプレイ内の該ピクセルのマトリックスアドレス指定を可能にすることを特徴とする、請求項２６から請求項３０のいずれか１項に従属する時の請求項３１に記載のディスプレイ。
【請求項３３】
請求項２５から請求項３２のいずれか１項に記載のディスプレイの製造方法であって、
（ｉ）請求項１１又は請求項１１に従属する時の請求項１２から請求項１８のいずれか１項に記載の複数の液晶セルを硬化可能カプセル材内に分散させる段階と、
（ｉｉ）前記液晶セルを好ましいアラインメントに整列させる段階と、
（ｉｉｉ）前記カプセル材を硬化させて前記液晶セルをそこに保持する段階と、
を含むことを特徴とする方法。
【請求項３４】
液晶セル及び硬化可能カプセル材の分散体を基板上に適用する段階を更に含むことを特徴とする請求項３３に記載のディスプレイの製造方法。
【請求項３５】
前記液晶セルを好ましいアラインメントに整列させる段階は、前記カプセル材が硬化した後に実行され、該硬化したカプセル材を前記基板と実質的に垂直な方向に広げ、それによってそこに分散した該液晶セルを該基板と実質的に垂直な方向に引き伸ばす段階を含むことを特徴とする請求項３４に記載のディスプレイの製造方法。
【請求項３６】
前記硬化したカプセル材を広げる段階は、該硬化したカプセル材を膨らませるために該硬化したカプセル材内に材料を導入する段階を含むことを特徴とする請求項３５に記載のディスプレイの製造方法。
【請求項３７】
前記硬化したカプセル材及びそこに分散した前記液晶セルが前記基板の平面と平行な平面に圧縮されるように、前記液晶セルを整列させる段階を実行するために、前記カプセル材を硬化させる前に該基板の平面で該基板を可逆的に変形させ、次に、該カプセル材の硬化後に該基板をその非変形状態に戻す中間段階を含むことを特徴とする請求項３４に記載
のディスプレイの製造方法。